【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
患者モニターとセンサーとの間でデータを送信する医療用ケーブルであって、
ケーブル本体と、
前記ケーブル本体に接続され、患者モニターに結合されるように構成された第１のコネクターと、
前記ケーブル本体に接続され、センサーに結合されるように構成され、１つ以上の生理学的パラメーターに関する情報を含む前記センサーからのセンサー信号を受信するよう構成されている第２のコネクターと、
前記患者モニターからのテスト信号を受信し、前記患者モニターによって予期される時間内に目標電圧に到達する前記テスト信号に応じた出力ランプ信号を生成するように構成されていることにより、前記モニターに前記医療用ケーブルを認証させることができるようにする認証回路と
を備え、
前記第２のコネクターは、スイッチと直列であり前記テスト信号を前記患者モニターから前記認証回路へ送信するように構成されている電気伝導経路の一部を含み、前記センサーに結合されるのに応じて、前記スイッチを閉じるように構成されている
医療用ケーブル。
【請求項２】
請求項１に記載された医療用ケーブルであって、
前記認証回路は、さらにダイオードを備え、
前記認証回路は、前記ダイオードが動作することによって前記キャパシターが前記ダイオードを介して少なくとも部分的に放電するように構成されている
医療用ケーブル。
【請求項３】
請求項１に記載された医療用ケーブルであって、
前記認証回路は、前記第１のコネクターの中に配置されている
医療用ケーブル。
【請求項４】
請求項１に記載された医療用ケーブルであって、
前記第２のコネクターがハウジングを備えており、
前記認証回路は当該ハウジング内に収容されている
医療用ケーブル。
【請求項５】
請求項１に記載された医療用ケーブルであって、
前記第２のコネクターは、並列に配置された複数の回路基板を備え、
当該複数の回路基板は前記医療用ケーブルの長手方向の軸に対して垂直である
医療用ケーブル。
【請求項６】
請求項１に記載された医療用ケーブルであって、
前記センサーと前記医療用ケーブルが物理的に接続された後、前記認証回路が決められた時間で前記患者モニターに前記出力信号を供給しなかった時に、前記患者モニターと前記センサーとの間での前記医療用ケーブルを経由するデータの送信が部分的に禁止される
医療用ケーブル。
【請求項７】
請求項１に記載された医療用ケーブルであって、
前記認証回路は、前記出力ランプ信号を生成するように構成されているキャパシタに結合された実質的に定電流の電流源を有する
医療用ケーブル。
【請求項８】
患者モニターとセンサーとの間でデータを送信する医療用ケーブルであって、
ケーブル本体と、
前記ケーブル本体に接続され、患者モニターに結合されるように構成された第１のコネクターと、
前記ケーブル本体に接続され、センサーに結合されて、前記センサーからのセンサー信号を受信するよう構成されている第２のコネクターと、
前記第２のコネクターと前記センサーとの間の接続によってトリガーされるように構成され、前記第２のコネクターが前記センサーに結合されているときに第１の状態となり、前記第２のコネクターが前記センサーに結合されていないときに第２の状態となるように構成されている安全スイッチとを備える
医療用ケーブル。
【請求項９】
請求項８に記載された医療用ケーブルであって、
前記安全スイッチは、前記センサーが前記第２のコネクターに接続されていない場合、前記患者モニターに測定値を、少なくとも部分的に出力させないようにする
医療用ケーブル。
【請求項１０】
請求項８に記載された医療用ケーブルであって、
前記第１の状態は電気的に閉じた状態であり、前記第２の状態は電気的に開いた状態である
医療用ケーブル。
【請求項１１】
請求項８に記載された医療用ケーブルであって、
前記安全スイッチは、前記ケーブルに配置された認証回路に前記患者モニターからの電力を受け取らないようにさせることによって、前記認証回路に前記患者モニターに対する認証をさせないようにする
医療用ケーブル。
【請求項１２】
請求項８に記載された医療用ケーブルであって、
前記安全スイッチが前記第２の状態であるとき、当該安全スイッチは、前記患者モニターに対する前記ケーブルの認証を防止する
医療用ケーブル。
【請求項１３】
患者モニターとセンサーとの間でデータを送信する医療用ケーブルであって、
ケーブル本体と、
前記ケーブル本体に接続され、患者モニターに結合されるように構成された第１のコネクターと、
前記ケーブル本体に接続され、センサーに結合されるように構成され、１つ以上の生理学的パラメーターに関する情報を含む前記センサーからのセンサー信号を受信するよう構成されている第２のコネクターと、
前記患者モニターからのテスト信号を受信し、前記患者モニターによって予期される時間内に目標電圧に到達する前記テスト信号に応じた出力ランプ信号を生成するように構成されていることにより、前記モニターに前記医療用ケーブルを認証させることができるようにする認証回路と
を備え、
前記センサーと前記医療用ケーブルが物理的に接続された後に、前記認証回路が、決められた時間で前記患者モニターに前記出力信号を供給しなかった時に、前記患者モニターと前記センサーとの間での前記医療用ケーブルを経由するデータの送信が部分的に禁止される
医療用ケーブル。
【請求項１４】
患者モニターとセンサーとの間でデータを送信する医療用ケーブルであって、
ケーブル本体と、
前記ケーブル本体に接続され、患者モニターに結合されるように構成された第１のコネクターと、
前記ケーブル本体に接続され、センサーに結合されるように構成され、１つ以上の生理学的パラメーターに関する情報を含む前記センサーからのセンサー信号を受信するよう構成されている第２のコネクターと、
前記患者モニターからのテスト信号を受信し、前記患者モニターによって予期される時間内に目標電圧に到達する前記テスト信号に応じた出力ランプ信号を生成するように構成されていることにより、前記モニターに前記医療用ケーブルを認証させることができるようにする認証回路と
を備え、
前記認証回路は、さらにダイオードを備え、
前記認証回路は、前記ダイオードが動作することによって前記キャパシターが前記ダイオードを介して少なくとも部分的に放電するように構成されている
医療用ケーブル。
【請求項１５】
患者モニターとセンサーとの間でデータを送信する医療用ケーブルであって、
ケーブル本体と、
前記ケーブル本体に接続され、患者モニターに結合されるように構成された第１のコネクターと、
前記ケーブル本体に接続され、センサーに結合されるように構成され、１つ以上の生理学的パラメーターに関する情報を含む前記センサーからのセンサー信号を受信するよう構成されている第２のコネクターと、
前記患者モニターからのテスト信号を受信し、前記患者モニターによって予期される時間内に目標電圧に到達する前記テスト信号に応じた出力ランプ信号を生成するように構成されていることにより、前記モニターに前記医療用ケーブルを認証させることができるようにする認証回路と
を備え、
前記第２のコネクターは、並列に配置された複数の回路基板を備え、
当該複数の回路基板は前記医療用ケーブルの長手方向の軸に対して垂直である
医療用ケーブル。
【請求項１６】
請求項１及び１３〜１５のいずれか１項に記載された医療用ケーブルであって、
前記テスト信号は、所定のパルス幅を有する矩形波である
医療用ケーブル。
【請求項１７】
請求項１及び１３〜１５のいずれか１項に記載された医療用ケーブルであって、
前記認証回路はさらに前記出力ランプ信号を前記患者モニターに供給するように構成されている
医療用ケーブル。
【請求項１８】
請求項１及び１３〜１５のいずれか１項に記載された医療用ケーブルであって、
前記目標電圧は、約２Ｖから約４Ｖの間である
医療用ケーブル。
【請求項１９】
請求項１及び１３〜１５のいずれか１項に記載された医療用ケーブルであって、
前記目標時間は、約１００μＳから約１７０μＳの間である
医療用ケーブル。
【請求項２０】
患者モニターとセンサーとの間のデータを送信する方法であって、
医療用ケーブルを患者モニターに接続し、
前記医療用ケーブルに配置された認証回路でテスト信号を受信し、
前記テスト信号を実質的に定電流の電流信号に変換し、
前記電流信号を用いてランプ信号を生成し、
前記ランプ信号を前記患者モニターに供給することにより、前記モニターが前記医療用ケーブルを認証することができるようにし、
前記センサーと前記医療用ケーブルが物理的に接続された後に、前記認証回路が、決められた時間で前記患者モニターに前記出力信号を供給しなかった時に、前記患者モニターと前記センサーとの間での前記医療用ケーブルを経由するデータの送信が部分的に禁止される
方法。
【請求項２１】
請求項２０に記載された方法であって、
さらに、前記医療用ケーブルが認証された状態であることを示す確認信号を前記患者モニターから受信する
方法。
【請求項２２】
請求項２０に記載された方法であって、
さらに、前記医療用ケーブルを用いて、１つ以上の生理学的パラメーターに関連する情報を含むセンサー信号を、センサーから前記患者モニターに対して送信する
方法。